(57)【要約】【課題】今受信している放送がサイマル放送か否かを報知するＩＢＯＣ放送受信機を提供する。【解決手段】ＩＢＯＣ放送受信機において、ＩＢＯＣ放送受信機１０におけるデジタル復調部５の復調デジタルデータからサイマル放送か否かの情報を取り出し、取り出されたサイマル情報に基づいて表示装置７のサイマル表示部１２に受信中の放送がサイマル放送か否かの表示をする。このサイマル表示部１２の表示により受信中の放送がサイマル放送か否かが判る。【選択図】        図１
2005012594.tif 000002
【特許請求の範囲】
【請求項１】
ＩＢＯＣ放送受信機において、デジタル復調部からサイマル放送か否かの情報を取り出すサイマル情報取り出し手段と、取り出されたサイマル情報に基づき受信中の放送がサイマル放送であるか否かを表示する表示部とを備えたことを特徴とするＩＢＯＣ放送受信機。
【発明の詳細な説明】
【０００１】
【発明の属する技術分野】
本発明はアナログサイドバンドの外側周波数帯域にデジタル情報を配置して同一放送周波数で放送するイン・バンド・オン・チャンネル（ＩＢＯＣ）放送局からの放送を受信するＩＢＯＣ放送受信機に関する。
【０００２】
【従来の技術】
アナログサイドバンドの外側周波数帯域にデジタル情報を配置して同一放送周波数で放送するＩＢＯＣ放送は知られている（例えば、特許文献１参照）。ＩＢＯＣ放送を受信するＩＢＯＣ放送受信機において、アナログ放送を受信するか、デジタル放送を受信するか、自動でデジタル放送とアナログ放送とを切り替えて受信することが行われる。
【０００３】
【特許文献１】
特表２００２−５１０８９７号公報（第１０頁、第１図）。
【０００４】
【発明が解決しようとする課題】
ＩＢＯＣ放送では、通常は同じ放送周波数で、アナログ放送とデジタル放送とで同一内容の放送（サイマル放送）を行っているが、放送局によっては異なる内容の放送を行っている場合もある。このとき、アナログ放送固定で受信していた場合、デジタル放送では違う内容の番組を放送しているか否かについて知る方法がなかった。逆に、デジタル放送固定で受信していた場合、アナログ放送では違う内容の番組を放送しているか否かについて知る方法がなかった。
【０００５】
また、自動でデジタル放送とアナログ放送とを切り替えて受信する場合、受信状態が悪いときには、デジタル放送とアナログ放送とが頻繁に切り替わるために、違う内容の放送が自動的に切り替わって出力されることになって、放送受信者に混乱を起こさせるという問題点がある。
【０００６】
本発明は、今受信している放送がサイマル放送か否かを報知するＩＢＯＣ放送受信機を提供することを目的とする。
【０００７】
【課題を解決するための手段】
本発明のＩＢＯＣ放送受信機は、ＩＢＯＣ放送受信機において、デジタル復調部からサイマル放送か否かの情報を取り出すサイマル情報取り出し手段と、取り出されたサイマル情報に基づき受信中の放送がサイマル放送であるか否かを表示する表示部とを備えたことを特徴とする。
【０００８】
本発明のＩＢＯＣ放送受信機によれば、ＩＢＯＣ放送受信機におけるデジタル復調部からサイマル放送か否かの情報がサイマル情報取り出し手段によって取り出され、取り出されたサイマル情報に基づいて表示部に受信中の放送がサイマル放送か否かの表示がなされる。このため、表示部の表示により受信中の放送がサイマル放送か否かが判ることになる。
【０００９】
【発明の実施の形態】
以下、本発明にかかるＩＢＯＣ放送受信機を実施の一形態によって説明する。
【００１０】
図１は本発明の実施の一形態にかかるＩＢＯＣ放送受信機の構成を示すブロック図である。
【００１１】
本発明の実施の一形態にかかるＩＢＯＣ放送受信機１０は、操作指示がなされる入力装置１と、入力装置１からの操作指示信号を入力するメインコントローラ２と、メインコントローラ２からの出力に基づき制御されるチューナ３と、メインコントローラ２からの出力に基づき制御され、かつチューナ３から出力される中間周波信号および後記のデジタルオーディオ信号が入力されてアナログ復調するアナログ復調部４と、メインコントローラ２からの出力に基づき制御され、かつアナログ復調部４におけるベースバンドプロセッサにより処理されたデジタルベースバンド信号を入力してデジタル復調したデジタルオーディオ信号をアナログ復調部４へ出力するデジタル復調部（ＩＤＭ（ＩＢＯＣ  Ｄｉｇｉｔａｌ  Ｍｏｄｕｌｅ））５と、アナログ復調部４から出力される音声信号を入力して可聴音に変換する音声出力装置６と、メインコントローラ２の制御の下に入力装置１の操作指示に基づく操作内容などを表示する表示装置７を備えている。
【００１２】
表示装置７には、図２に示すように、受信放送周波数の表示部１１に隣接してサイマル放送か否かの表示、例えば〃ｓｉｍｕｌ、ＯＮ、ＯＦＦ〃のサイマル表示部１２が設けてあり、後記の信号によりサイマル放送のときにはサイマル表示部１２にＯＮが表示され、非サイマル放送のときには、サイマル表示部１２にＯＦＦの表示がなされる。
【００１３】
ＩＢＯＣ放送受信機１０の作用を図３に示すフローチャートに基づき説明する。
【００１４】
ＩＢＯＣ放送受信機１０に対して放送受信が指示されると、放送受信者により入力装置１から受信放送周波数が指示され、該受信放送周波数がチューナ３にセットされる選局が行われるのを待つ（ステップＳ１、Ｓ２）。
【００１５】
受信放送周波数のセットの終了に続き、デジタルデータが受信できたか否かが確認される（ステップＳ３）。ステップＳ３に続いてデジタルデータが取り出せたか否かがチェックされる（ステップＳ４）。ステップＳ３およびステップＳ４の確認およびデジタルデータの取り出しができたか否かは、デジタル復調部（ＩＤＭ）５においてデジタルデータが取り出せたか否かによって判別される。
【００１６】
ステップＳ４のチェックにおいて、デジタルデータが取り出せないときは取り出されるのを待って、取り出されたデジタルデータ中からサイマル放送か否かの情報が取り出される（ステップＳ５）。ステップ５において取り出されたサイマル放送か否かの情報に基づいて、メインコントローラ２の制御の下に表示装置７におけるサイマル表示部１２に表示がなされる（ステップＳ６）。
【００１７】
サイマル表示部１２の表示によって放送受信者が受信している放送がサイマル放送であるか否かが判ることになる。
【００１８】
アナログ放送固定で受信している場合、サイマル表示部１２の表示に基づいて、サイマル放送でないときは、デジタル放送に切り替えてデジタル放送の放送内容を知ることもできる。
【００１９】
【発明の効果】
以上説明したように、本発明のＩＢＯＣ放送受信機によれば、ＩＢＯＣ放送受信機におけるデジタル復調部からサイマル放送か否かの情報がサイマル情報取り出し手段によって取り出され、取り出されたサイマル情報に基づいて表示部に受信中の放送がサイマル放送か否かの表示がなされるため、表示部の表示により受信中の放送がサイマル放送か否かが判る。
【図面の簡単な説明】
【図１】本発明の実施の一形態にかかるＩＢＯＣ放送受信機の構成を示すブロック図である。
【図２】本発明の実施の一形態にかかるＩＢＯＣ放送受信機における表示装置の外形図である。
【図３】本発明の実施の一形態にかかるＩＢＯＣ放送受信機の作用の説明に供するフローチャートである。
【符号の説明】
１  入力装置
２  メインコントローラ
３  チューナ
４  アナログ復調部
５  デジタル復調部
６  音声出力装置
７  表示装置
１０  ＩＢＯＣ放送受信機
１２  サイマル表示部
【図１】
2005012594.tif 000003
【図２】
2005012594.tif 000004
【図３】
2005012594.tif 000005